(57)【特許請求の範囲】
【請求項１】
所定のパイプパターンに整形された温水パイプが基材シートの上面に固着された温水パイプユニットを床下地の上に載置した状態で、その温水パイプユニットを覆うように、前記温水パイプが嵌り込むパイプ収容溝が裏面に形成された複数の床仕上材を敷設してなる温水式床暖房フロアであって、
前記温水パイプユニットは、一対または複数対に分割されており、
対をなす前記温水パイプユニットは、隣接配置したときに、それぞれの前記温水パイプユニットにおける前記温水パイプの前記基材シートからの引出位置を相互に一致させることができるようなパイプパターンを有しており、それぞれの前記温水パイプユニットにおける前記温水パイプの前記基材シートからの引出位置が相互に一致するように、隣接配置され、それぞれの前記温水パイプユニットから引き出された前記温水パイプを、前記床下地に形成された共通の引落穴から床下に引き落とすようにしたことを特徴とする温水式床暖房フロア。
【請求項２】
それぞれの前記温水パイプユニットは、前記温水パイプによって形成される１系統の温水循環経路のみを有している請求項１に記載の温水式床暖房フロア。
【発明の詳細な説明】
【０００１】
【発明の属する技術分野】
この発明は、床下地の上に載置された温水パイプユニットを覆うように床仕上材が敷設された温水式床暖房フロアに関する。
【０００２】
【従来の技術】
床下地の上に配設された温水パイプに温水を通すことによって暖房を行う温水式の床暖房フロアとしては、例えば、図１２（ａ）、（ｂ）に示すように、温水パイプ５２を予め内蔵した床仕上材５１を床下地５３の上に順次敷設していくものや、図１３（ａ）に示すように、裏面に温水パイプを収容するためのパイプ収容溝６２が形成された床仕上材６１を、同図（ｂ）に示すように、床下地６３の上に敷設した後、同図（ｃ）に示すように、床仕上材６１の端面側からパイプ収容溝６２に温水パイプ６４を挿入するようにしたものがある。
【０００３】
ところで、図１２に示す床暖房フロアは、温水パイプ５２が床仕上材５１に予め内蔵されているので、床下地５３の上に床仕上材５１を敷設していけばよく、床仕上材５１を床下地５３に釘止めする場合にも、指定された位置を釘止めすれば、床仕上材５１に内蔵された温水パイプ５２が損傷を受けることがないという利点はあるが、温水パイプ５２が床仕上材５１毎に分断されているので、床仕上材５１を床下地５３の上に敷設する際、隣接する床仕上材５１に内蔵された温水パイプ５２同士をコネクタ等を介して順次接続していかなければならず、床仕上材５１の敷設作業性が悪いといった問題がある。
【０００４】
また、図１３に示す床暖房フロアは、床仕上材毎に温水パイプを接続する必要はないが、既に敷設された床仕上材６１のパイプ収容溝６２に長尺の温水パイプ６４をＵターンさせながら通管するのは手間のかかる作業であり、やはり、効率よく床暖房フロアを施工することができない。
【０００５】
こういった従来の温水式床暖房フロアにおける問題を解消するため、本件発明者は、特願２００１−１３５８１４号において、施工性に優れた温水式床暖房フロアを提案している。この温水式床暖房フロアは、図１４（ａ）、（ｂ）に示すように、床下地７６の上に敷設される温水パイプユニット７１と、床下地７６の上に載置された温水パイプユニット７１を覆うように床下地７６の上に敷設される床仕上材７４とから構成されており、温水パイプユニット７１は、同図（ｂ）に示すように、所定のパイプパターンに整形された温水パイプ７２が基材シート７３の上面に固着されていると共に、床仕上材７４には、その裏面に温水パイプユニット７１の温水パイプ７２を収容するためのパイプ収容溝７５が形成されている。
【０００６】
以上のように構成された温水式床暖房フロア７０は、床暖房エリアを覆うように、温水パイプユニット７１を床下地７６の上に載置した状態で、その温水パイプユニット７１の温水パイプ７２をパイプ収容溝７５に収容しながら、床仕上材７４を順次敷設していけばよいので、図１２及び図１３に示す温水式床暖房フロアに比べて効率よく施工することができる。
【０００７】
【発明が解決しようとする課題】
ところで、上述したような温水式床暖房フロア７０に使用される温水パイプユニット７１は、温水を循環させるための温水パイプ７２の全長が長くなると、温水循環時における圧力損失が大きくなるので、所定流量の温水を循環させるためには、高揚程の温水循環ポンプを使用しなければならず、また、温水循環ポンプの揚程が高くなると、温水パイプ７２自体の耐圧性能も高くしなければならないので、製品コストが高くなるといった問題がある。
【０００８】
従って、床暖房エリアがある程度の広さを有する場合は、温水循環時における圧力損失が必要以上に大きくならないように、図１５に示すように、２組の温水パイプ７２を用いて２系統の温水循環経路を形成したパイプユニット７１を使用したり、図１６に示すように、１系統または２系統の温水循環経路を有する複数の温水パイプユニット７１に分割したりするのが一般的である。
【０００９】
しかしながら、一つの温水パイプユニット７１に２系統の温水循環経路を形成したり、複数の温水パイプユニット７１に分割したりすると、温水パイプ７２の本数が増え、図１５及び図１６に示すように、これらの温水パイプ７２を床下に引き落とすために、床下地に形成する引落穴Ｈの数が増えることになるので、穴加工の手間が増えると共に、床下地の断熱性能が低下するといった問題がある。
【００１０】
そこで、この発明の課題は、温水パイプユニットを構成している温水パイプを床下に引き落とすために、床下地に形成される引落穴の数を最小限に抑えることのできる温水式床暖房フロアを提供することにある。
【００１１】
【課題を解決するための手段及びその効果】
上記の課題を解決するため、請求項１にかかる発明は、所定のパイプパターンに整形された温水パイプが基材シートの上面に固着された温水パイプユニットを床下地の上に載置した状態で、その温水パイプユニットを覆うように、前記温水パイプが嵌り込むパイプ収容溝が裏面に形成された複数の床仕上材を敷設してなる温水式床暖房フロアであって、前記温水パイプユニットは、一対または複数対に分割されており、対をなす前記温水パイプユニットは、隣接配置したときに、それぞれの前記温水パイプユニットにおける前記温水パイプの前記基材シートからの引出位置を相互に一致させることができるようなパイプパターンを有しており、それぞれの前記温水パイプユニットにおける前記温水パイプの前記基材シートからの引出位置が相互に一致するように、隣接配置され、それぞれの前記温水パイプユニットから引き出された前記温水パイプを、前記床下地に形成された共通の引落穴から床下に引き落とすようにしたことを特徴とする温水式床暖房フロアを提供するものである。
【００１２】
以上のように、この温水式床暖房フロアは、対をなす温水パイプユニットが、隣接配置したときに、それぞれの温水パイプユニットにおける温水パイプの基材シートからの引出位置を相互に一致させることができるようなパイプパターンを有しており、しかも、それぞれの温水パイプユニットにおける温水パイプの基材シートからの引出位置が相互に一致するように、隣接配置され、それぞれの温水パイプユニットから引き出された温水パイプを共通の引落穴から床下に引き落とすようにしたので、床下地に形成しなければならない引落穴の数を削減することができる。
【００１３】
これによって、床下地に引落穴を形成するための穴加工作業が軽減されると共に、床下地の断熱性能の低下が最小限に抑えられるので、効率よく床暖房を行うことができる。
【００１４】
特に、２系統の温水循環経路を有する温水パイプユニットで床暖房エリアをカバーすることができる場合は、請求項２にかかる発明の温水式床暖房フロアのように、１系統の温水循環経路のみを有する２つの温水パイプユニットに分割ればよい。
【００１５】
【発明の実施の形態】
以下、実施の形態について図面を参照して説明する。図１及び図２に示す温水式床暖房フロア１は、捨貼合板等からなる床下地１０と、床暖房エリアの半分づつをそれぞれ覆うように、床下地１０の上に載置される２種類の温水パイプユニット２０ａ、２０ｂと、床下地１０の上に載置された温水パイプユニット２０ａ、２０ｂを覆うように床下地１０の上に敷設される多数の床仕上材３０とから構成されている。
【００１６】
各温水パイプユニット２０ａ、２０ｂは、図２及び図３に示すように、架橋ポリエチレンによって形成された口径が５Ａの長尺の温水パイプ２１、２１と、この温水パイプ２１、２１が固着された基材シート２４とから構成されており、端末側で相互に繋がった往管２２及び還管２３からなる２組の温水パイプ２１によって２系統の温水循環経路が形成されている。
【００１７】
各温水パイプユニット２０ａ、２０ｂにおける２組の温水パイプ２１は、図３に示すように、基材シート２４の幅方向に伸びる複数の直線部分と、隣接する直線部分を基材シート２４の幅方向の両端部で交互に接続する複数のＵターン部分とを備えており、同図に一転鎖線で示すように、２組の温水パイプ２１からなるパイプ群における各Ｕターン部分、即ち、パイプ群における隣接する直線部分間に床仕上材３０の実接合部分が位置するように、所定のパイプパターンに整形されている。
【００１８】
また、各温水パイプユニット２０ａ、２０ｂは、図３に示すように、隣接した状態で配置したときに、各温水パイプユニット２０ａ、２０ｂにおける往管２２及び還管２３の基材シート２４からの引出位置が相互に一致するように、それぞれの温水パイプ２１が左右対称のパイプパターンに整形されており、往管２２及び還管２３の引出部分は、基材シート２４が部分的に切りかかれている。
【００１９】
前記基材シート２４は、図４に示すように、厚さ１００μｍのアルミニウム箔２７が、厚さ３０μｍのポリエチレンフィルム２６と目付が２３ｇ／ｍ２の紙間強化紙２８とによってラミネートされた３層ラミネートシートによって形成されており、所定のパイプパターンに整形された温水パイプ２１を完全に覆うことができる大きさを有している。
【００２０】
この基材シート２４には、その上面、即ち、ポリエチレンフィルム２６の表面に、温水パイプ２１が熱融着されており、熱融着された温水パイプ２１部分と、床仕上材３０の実接合部分が位置することになる、２組の温水パイプ２１からなるパイプ群における隣接する直線部分間を避けるように、口径２０ｍｍ程度の透孔２５が多数形成されている。
【００２１】
前記床仕上材３０は、図２及び図５に示すように、５プライ合板や３プライ合板等の木質板によって形成されたパネル基材３１と、このパネル基材３１の表面に貼着された突板等の表面化粧材３２とから構成されており、床仕上材３０の表面には、図５（ａ）に示すように、長手方向に伸びる３本の擬似溝３２ａと各擬似溝３２ａ間において短手方向に伸びる複数の擬似溝３２ｂとが形成されている。
【００２２】
また、床仕上材３０は、図６〜図８に示すように、温水パイプユニット２０ａ、２０ｂが載置されていない部屋の周辺部分に敷設される周辺パネル３０ａと、部屋の中央部分に載置された温水パイプユニット２０ａ、２０ｂを覆うように敷設される本体パネル３０ｂとから構成されており、図５（ｃ）に示すように、本体パネル３０ｂには、パネル基材３１の裏面に、上述した温水パイプユニット２０ａ、２０ｂにおける温水パイプ２１を収容するための複数のパイプ収容溝３１ａ、３１ｂが形成されているが、同図（ｂ）に示すように、周辺パネル３０ａには、パネル基材３１の裏面にパイプ収容溝が形成されていない。
【００２３】
なお、本体パネル３０ｂの短手方向に延びるパイプ収容溝３１ｂは、本体パネル３０ａの長手方向に伸びるパイプ収容溝３１ａに比べて、その溝幅が５ｍｍ程度大きく設定されており、長手方向に隣接するパネル本体３０同士を実接合する際に、パイプ収容溝３１ａ、３１ｂに温水パイプ２１を収容した状態で、パネル本体３０ｂを長手方向にスライドさせることができるようになっている。
【００２４】
以上のように構成された温水式床暖房フロアの施工方法について、以下に説明する。まず、図６（ａ）に示すように、床暖房フロアを施工しようとする部屋の一辺側から床下地１０の上に周辺パネル３０ａを敷設した後、同図（ｂ）に示すように、２種類の温水パイプユニット２０ａ、２０ｂを、それぞれの温水パイプ２１の引き出し位置が一致するように隣接配置した状態で、床下地１０の所定位置（床暖房エリア）に載置する。
【００２５】
次に、図７（ａ）に示すように、温水パイプユニット２０ａ、２０ｂの一方の外側に周辺パネル３０ａを敷設した後、パイプ収容溝３１ａ、３１ｂに温水パイプユニット２０ａ、２０ｂの温水パイプ２１を嵌め込むようにして、温水パイプユニット２０ａ、２０ｂの一端側に１枚目の本体パネル３０ｂを敷設すると、床下地１０の上に載置された２種類の温水パイプユニット２０ａ、２０ｂが概ね位置決めされることになるので、各温水パイプユニット２０ａ、２０ｂにおける温水パイプ２１の引出端をそれぞれ床下地１０の下方側に引き落とし、床下でメインパイプに接続する。
【００２６】
このとき、図９に示すように、温水パイプユニット２０ａにおける温水パイプ２１ａの往管２２ａ、２２ａ及び還管２３ａ、２３ａと、温水パイプユニット２０ｂにおける温水パイプ２１ｂの往管２２ｂ、２２ｂ及び還管２３ｂ、２３ｂとがそれぞれ同一位置に引き出されているので、それぞれの往管２２ａ、２２ａ、２２ｂ、２２ｂ及び還管２３ａ、２３ａ、２３ｂ、２３ｂに対応する８個の引落穴を形成する必要はなく、同一位置にそれぞれ引き出されている往管２２ａ、２２ｂ及び還管２３ａ、２２ｂに対応する４個の引落穴Ｈを床下地１０に形成し、往管２２ａ、２２ｂ及び還管２３ａ、２３ｂを２本づつ共通の引落穴Ｈから床下にそれぞれ引き落とせばよい。なお、図９においては、説明をわかりやすくするために、温水パイプユニット２０ａの温水パイプ、往管、還管には、２１ａ、２２ａ、２３ａなる符号を、温水パイプユニット２０ｂの温水パイプ、往管、還管には、２１ｂ、２２ｂ、２３ｂなる符号を付してある。
【００２７】
続いて、図７（ｂ）に示すように、周辺パネル３０ａまたは本体パネル３０ｂを順次敷設していくことによって、温水パイプユニット２０を完全に覆った後、図８に示すように、温水パイプユニット２０の外側に周辺パネル３０ａを敷設すると、図１に示すような温水式床暖房フロア１が完成する。なお、図７〜図８においては、本体パネル３０ｂを交斜線で示している。
【００２８】
また、本体パネル３０ｂを敷設する際は、パイプ収容溝３１ａ、３１ｂ部分を除いてその裏面に接着剤が塗布されているので、この接着剤によって、本体パネル３０ｂと温水パイプユニット２０ａ、２０ｂの基材シート２４とが相互に接着固定されると共に、基材シート２４の透孔２５部分で、本体パネル３０ｂと床下地１０とが同時に接着固定される。
【００２９】
以上のように、この温水式床暖房フロア１では、対をなす２種類の温水パイプユニット２０ａ、２０ｂを床暖房エリアに載置した状態で、温水パイプユニット２０ａ、２０ｂの温水パイプ２１（往管２２、還管２３）が、同一位置に引き出されるような構成及び配置を採用し、双方の温水パイプユニット２０ａ、２０ｂから同一位置に引き出される２本の温水パイプ２１（往管２２、還管２３）を共通の引落穴Ｈから床下に引き落とすようにしているので、床下地１０に形成しなければならない引落穴Ｈの数が半減し、床下地１０に引落穴Ｈを形成するための穴加工作業が軽減されると共に、床下地１０の断熱性能の低下が最小限に抑えられるので、効率よく床暖房を行うことができる。
【００３０】
なお、上述した実施形態では、それぞれ２系統の温水循環経路を有している２組の温水パイプユニット２０ａ、２０ｂを用いた温水式床暖房フロアについて説明したが、これに限定されるものではなく、例えば、図１０及び図１１に示すように、上述した床暖房エリアの半分をカバーする温水パイプユニットを、１組の温水パイプ２１によって形成される１系統の温水循環経路を有する２組の温水パイプユニット２０ｃ、２０ｄまたは温水パイプユニット２０ｅ、２０ｆにそれぞれ分割し、分割された２種類の温水パイプユニット２０ｃ、２０ｄまたは温水パイプユニット２０ｅ、２０ｆの温水パイプ２１が、同一位置に引き出されるような構成及び配置を採用することも可能であり、この場合も、温水パイプユニット２０ｃ、２０ｄまたは温水パイプユニット２０ｅ、２０ｆから引き出される２本の温水パイプ２１を共通の引落穴Ｈから床下に引き落とすことができるので、上述した温水式床暖房フロア１と同様の効果を得ることができる。
【００３１】
また、上述した実施形態では、２系統の温水循環経路を有する２組の温水パイプユニットを使用しなければ、カバーすることができないような大きさの床暖房エリアを有する温水式床暖房フロアについて説明したが、２系統の温水循環経路を有する１組の温水パイプユニットによって床暖房エリアをカバーすることができる場合であっても、１系統の温水循環経路を有する２組の温水パイプユニットに分割することによって、引落穴の数を削減することができるので、そういった場合にも本発明が有効であることはいうまでもない。
【図面の簡単な説明】
【図１】この発明にかかる温水式床暖房フロアを示す断面図である。
【図２】同上の温水式床暖房フロアを示す分解断面図である。
【図３】同上の温水式床暖房フロアを構成している温水パイプユニットを示す平面図である。
【図４】同上の温水パイプユニットに使用されている基材シートを示す断面図である。
【図５】（ａ）は同上の温水式床暖房フロアに使用される床仕上材を示す平面図、（ｂ）は同上の床仕上材（周辺パネル）を示す裏面図、（ｃ）は同上の床仕上材（本体パネル）を示す裏面図である。
【図６】（ａ）、（ｂ）は同上の温水式床暖房フロアの施工方法を示す工程図である。
【図７】（ａ）、（ｂ）は同上の温水式床暖房フロアの施工方法を示す工程図である。
【図８】同上の温水式床暖房フロアの施工方法を示す工程図である。
【図９】同上の温水パイプユニットにおける温水パイプの床下への引き落とし部分を示す部分拡大平面図である。
【図１０】他の実施形態である温水式床暖房フロアに使用される温水パイプユニットを示す平面図である。
【図１１】他の実施形態である温水式床暖房フロアに使用される温水パイプユニットを示す平面図である。
【図１２】（ａ）は従来の床仕上材一体型の温水式床暖房フロアに使用される床仕上材を示す断面図、（ｂ）は同上の温水式床暖房フロアの施工方法を示す工程図である。
【図１３】（ａ）は従来の他の温水式床暖房フロアに使用される床仕上材を示す断面図、（ｂ）、（ｃ）は同上の温水式床暖房フロアの施工方法を示す工程図である。
【図１４】（ａ）は背景技術としての温水式床暖房フロアを示す断面図、（ｂ）は同上の温水式床暖房フロアを示す分解断面図である。
【図１５】同上の温水式床暖房フロアに使用される温水パイプユニットを示す平面図である。
【図１６】同上の温水式床暖房フロアに使用される温水パイプユニットの変形例を示す平面図である。
【符号の説明】
１  温水式床暖房フロア
１０  床下地
２０ａ、２０ｂ、２０ｃ、２０ｄ、２０ｅ、２０ｆ  温水パイプユニット
２１  温水パイプ
２２、２２ａ、２２ｂ  往管
２３、２３ａ、２３ｂ  還管
２４  基材シート
３０  床仕上材
３０ａ  周辺パネル
３０ｂ  本体パネル
３１  パネル基材
３１ａ、３１ｂ  パイプ収容溝
３２  表面化粧材
Ｈ  引落穴
【図１】
0003986322.tif 000002
【図２】
0003986322.tif 000003
【図３】
0003986322.tif 000004
【図４】
0003986322.tif 000005
【図５】
0003986322.tif 000006
【図６】
0003986322.tif 000007
【図７】
0003986322.tif 000008
【図８】
0003986322.tif 000009
【図９】
0003986322.tif 000010
【図１０】
0003986322.tif 000011
【図１１】
0003986322.tif 000012
【図１２】
0003986322.tif 000013
【図１３】
0003986322.tif 000014
【図１４】
0003986322.tif 000015
【図１５】
0003986322.tif 000016
【図１６】
0003986322.tif 000017